【手続補正書】
【提出日】平成18年2月13日(2006.2.13)
【手続補正１】
【補正対象書類名】明細書
【補正対象項目名】発明の名称
【補正方法】変更
【補正の内容】
【発明の名称】インクジェット用処理液、インクセット、これらが充填されたカートリッジ、これらを用いたインクジェット画像形成方法および画像形成装置
【手続補正２】
【補正対象書類名】明細書
【補正対象項目名】特許請求の範囲
【補正方法】変更
【補正の内容】
【特許請求の範囲】
【請求項１】  色材と水を含有する記録液と接触した際に該色材と反応するインクジェット用処理液であって、該処理液が微粒子および水溶性有機溶剤とを含有し、該微粒子の含有率ａ（ｗｔ％）、および、沸点が２１０℃以上である該水溶性有機溶剤の含有率ｂ（ｗｔ％）が以下の条件を満たすことを特徴とするインクジェット用処理液。
【数１】
2004042593.tif 000001
【数２】
2004042593.tif 000002
（ａ，ｂは処理液全量に対する重量比率；ｗｔ％）
【請求項２】  色材と水を含有する記録液と接触した際に該色材と反応するインクジェット用処理液であって、該処理液が微粒子および水溶性有機溶剤とを含有し、該微粒子の含有率ａ（ｗｔ％）、および、沸点が２１０℃以上である該水溶性有機溶剤の含有率ｂ（ｗｔ％）が以下の条件を満たすことを特徴とするインクジェット用処理液。
【数３】
2004042593.tif 000003
【数４】
2004042593.tif 000004
（ａ、ｂは処理液全量に対する重量比率；ｗｔ％）
【請求項３】  前記微粒子が色材と反応する無機微粒子であることを特徴とする請求項１又は２に記載のインクジェット用処理液。
【請求項４】  前記無機微粒子がカチオン性コロイダルシリカであることを特徴とする請求項３に記載のインクジェット用処理液。
【請求項５】  前記水溶性有機溶剤が２−ピロリドン、ジエチレングリコール、トリエチレングリコール、グリセリン、３−メチルペンタン−１，３，５−トリオール、２−エチル−２−（ヒドロキシメチル）−１，３−プロパンジオールから選ばれる化合物であることを特徴とする請求項１又は２に記載の処理液。
【請求項６】  前記沸点が２１０℃以上の水溶性有機溶剤を２種以上含有することを特徴とする請求項１又は２に記載のインクジェット用処理液。
【請求項７】  前記処理液が界面活性剤を含有することを特徴とする請求項１又は２に記載のインクジェット用処理液。
【請求項８】  前記界面活性剤がカチオン性化合物であることを特徴とする請求項７に記載のインクジェット用処理液。
【請求項９】  前記処理液が防腐防黴剤を含有することを特徴とする請求項１又は２に記載のインクジェット用処理液。
【請求項１０】  色材と水を含有する記録液と、請求項１乃至９の何れかに記載の処理液とを組み合わせたことを特徴とするインクジェット用インクセット。
【請求項１１】  前記記録液に含有される色材が顔料、染料、あるいはそれら両方であることを特徴とする請求項１０に記載のインクジェット用インクセット。
【請求項１２】  前記記録液が水溶性有機溶剤を含有することを特徴とする請求項１０又は１１に記載のインクジェット用インクセット。
【請求項１３】  前記記録液が界面活性剤を含有することを特徴とする請求項１０乃至１２の何れかに記載のインクジェット用インクセット。
【請求項１４】  前記記録液が防腐防錆剤を含有することを特徴とする請求項１０乃至１３の何れかに記載のインクジェット用インクセット。
【請求項１５】  請求項１０乃至１４の何れかに記載のインクセットを用い、該インクセットを構成する処理液を被記録材に付与する工程と、該インクセットを構成する記録液を被記録材に付与する工程とを有し、該処理液と該記録液を被記録体上で接触させて画像を形成することを特徴とするインクジェット画像形成方法。
【請求項１６】  請求項１５に記載の画像形成方法で作製されることを特徴とする記録物。
【請求項１７】  請求項１乃至９の何れかに記載の処理液を充填することを特徴とするインクジェット用処理液カートリッジ。
【請求項１８】  請求項１０乃至１４の何れかに記載のインクセットを構成する記録液を充填することを特徴とするインクジェット用記録液カートリッジ。
【請求項１９】  請求項１７に記載の処理液カートリッジと請求項１８に記載の記録液カートリッジを搭載し、該処理液を被記録材に付与する吐出手段と、該記録液を被記録材に付与する吐出手段とを有し、該処理液と該記録液を被記録体上で接触させて画像を形成するために用いられるインクジェット画像形成装置。
【手続補正３】
【補正対象書類名】明細書
【補正対象項目名】０００１
【補正方法】変更
【補正の内容】
【０００１】
【発明の属する技術分野】
本発明は、インクジェット記録技術分野に関し、微粒子を含有する処理液と、樹脂被覆された色材を含有する記録液とを組み合わせたことを特徴とするインクセット、該インクセットのための特定された処理液、該インクセットのための特定された記録液、これら処理液と記録液を被記録材に付着させて画像を形成するインクジェット画像形成方法、及びインクジェット画像形成装置、これら処理液と記録液を収納するカートリッジ、このインクジェット画像形成装置を用いて作製されるインクジェット記録物等に関するものである。
【手続補正４】
【補正対象書類名】明細書
【補正対象項目名】０００７
【補正方法】変更
【補正の内容】
【０００７】
【発明が解決しようとする課題】
本発明の課題は、普通紙に印字した場合でも、フェザリングがない鮮明でしかも光沢感がある画像を得ることができ、かつ長期間使用せずに放置した場合にも乾燥によるインクジェットのノズル目詰まりが発生しない高い信頼性を有するインクジェット用処理液と、これとインクとからなるインクセット、これらが充填されたカートリッジ、これらを用いたインクジェット画像形成方法および画像形成装置を提供することである。
【手続補正５】
【補正対象書類名】明細書
【補正対象項目名】０００８
【補正方法】変更
【補正の内容】
【０００８】
【課題を解決するための手段】
すなわち、上記課題は、本発明の（１）「色材と水を含有する記録液と接触した際に該色材と反応するインクジェット用処理液であって、該処理液が微粒子および水溶性有機溶剤とを含有し、該微粒子の含有率ａ（ｗｔ％）、および、沸点が２１０℃以上である該水溶性有機溶剤の含有率ｂ（ｗｔ％）が以下の条件を満たすことを特徴とするインクジェット用処理液；
【手続補正６】
【補正対象書類名】明細書
【補正対象項目名】００１０
【補正方法】変更
【補正の内容】
【００１０】
【数６】
2004042593.tif 000005
（ａ，ｂは処理液全量に対する重量比率；ｗｔ％）」、（２）「色材と水を含有する記録液と接触した際に該色材と反応するインクジェット用処理液であって、該処理液が微粒子および水溶性有機溶剤とを含有し、該微粒子の含有率ａ（ｗｔ％）、および、沸点が２１０℃以上である該水溶性有機溶剤の含有率ｂ（ｗｔ％）が以下の条件を満たすことを特徴とするインクジェット用処理液；
【手続補正７】
【補正対象書類名】明細書
【補正対象項目名】００１２
【補正方法】変更
【補正の内容】
【００１２】
【数８】
2004042593.tif 000006
（ａ、ｂは処理液全量に対する重量比率；ｗｔ％）」、（３）「前記微粒子が色材と反応する無機微粒子であることを特徴とする前記第（１）項又は第（２）項に記載のインクジェット用処理液」、（４）「前記無機微粒子がカチオン性コロイダルシリカであることを特徴とする前記第（３）項に記載のインクジェット用処理液」、（５）「前記水溶性有機溶剤が２−ピロリドン、ジエチレングリコール、トリエチレングリコール、グリセリン、３−メチルペンタン−１，３，５−トリオール、２−エチル−２−（ヒドロキシメチル）−１，３−プロパンジオールから選ばれる化合物であることを特徴とする前記第（１）項又は第（２）項に記載のインクジェット用処理液」、（６）「前記沸点が２１０℃以上の水溶性有機溶剤を２種以上含有することを特徴とする前記第（１）項又は第（２）項に記載のインクジェット用処理液」、（７）「前記処理液が界面活性剤を含有することを特徴とする前記第（１）項又は第（２）項に記載のインクジェット用処理液」、（８）「前記界面活性剤がカチオン性化合物であることを特徴とする前記第（７）項に記載のインクジェット用処理液」、（９）「前記処理液が防腐防黴剤を含有することを特徴とする前記第（１）項又は第（２）項に記載のインクジェット用処理液」、（１０）「色材と水を含有する記録液と、前記第（１）項乃至第（９）項の何れかに記載の処理液とを組み合わせたことを特徴とするインクジェット用インクセット」、（１１）「前記記録液に含有される色材が顔料、染料、あるいはそれら両方であることを特徴とする前記第（１０）項に記載のインクジェット用インクセット」、（１２）「前記記録液が水溶性有機溶剤を含有することを特徴とする前記第（１０）項又は第（１１）項に記載のインクジェット用インクセット」、（１３）「前記記録液が界面活性剤を含有することを特徴とする前記第（１０）項乃至第（１２）項の何れかに記載のインクジェット用インクセット」、（１４）「前記記録液が防腐防錆剤を含有することを特徴とする前記第（１０）項乃至第（１３）項の何れかに記載のインクジェット用インクセット」、（１５）「前記第（１０）項乃至第（１４）項の何れかに記載のインクセットを用い、該インクセットを構成する処理液を被記録材に付与する工程と、該インクセットを構成する記録液を被記録材に付与する工程とを有し、該処理液と該記録液を被記録体上で接触させて画像を形成することを特徴とするインクジェット画像形成方法」、（１６）「前記第（１５）項に記載の画像形成方法で作製されることを特徴とする記録物」、（１７）「前記第（１）項乃至第（９）項の何れかに記載の処理液を充填することを特徴とするインクジェット用処理液カートリッジ」、（１８）「前記第（１０）項乃至第（１４）項の何れかに記載のインクセットを構成する記録液を充填することを特徴とするインクジェット用記録液カートリッジ」、（１９）「前記第（１７）に記載の処理液カートリッジと前記第（１８）項に記載の記録液カートリッジを搭載し、該処理液を被記録材に付与する吐出手段と、該記録液を被記録材に付与する吐出手段とを有し、該処理液と該記録液を被記録体上で接触させて画像を形成するために用いるインクジェット画像形成装置」によって解決される。
【手続補正８】
【補正対象書類名】明細書
【補正対象項目名】００１３
【補正方法】変更
【補正の内容】
【００１３】
次に、本発明を詳細に説明する。ただし、以下の説明によって本発明が制約を受けるものではない。
本発明のインクジェット用処理液は、色材と反応性を有する微粒子、沸点が２１０℃以上である水溶性有機溶剤を以下の条件で含有する。
【手続補正９】
【補正対象書類名】明細書
【補正対象項目名】００１６
【補正方法】変更
【補正の内容】
【００１６】
微粒子は電荷を帯びた分散状態で分散されるため、微粒子同士は電気的な斥力で安定的に分散相を形成することができ、通常の均一な溶液状態と比較すると、分散状態で含有させた本発明のインクジェット用処理液のほうが粘度上昇を抑えながら反応成分を大量に添加することができる。
【手続補正１０】
【補正対象書類名】明細書
【補正対象項目名】００１７
【補正方法】変更
【補正の内容】
【００１７】
インクジェット用処理液に記録液が接触すると、記録液中の色材と微粒子が反応する。その際、微粒子の電荷が中和され斥力が弱まるため、分散が不安定となり、凝集体を形成する。本発明の処理液は、前述のように反応成分を大量に含有させることができ、かつ、反応成分が元々大きな粒子として分散されているため、いったん記録液と合一すると大きな凝集体を瞬時に形成するため大きな粘度変化が生じる。大きな粘度変化が生じると、記録液の流れ出しが抑制され、フェザリングが改善される。
微粒子の含有量ａが１０ｗｔ％以上で粘度変化が大きくなり、フェザリングが大きく改善される。微粒子の含有量ａが４０ｗｔ％未満の範囲でこの効果が大きい。一方で、微粒子の含有量ａが１０ｗｔ％未満では、粘度変化が遅く、かつ、小さいため記録液の流れ出しを抑制できない。そのため、フェザリングが改善されない。逆に、微粒子の含有量ａが４０ｗｔ％以上では、処理液の安定性が低下しゲル化しやすく、ヘッドの目詰まりが起こりやすい。そのため、処理液の不吐出による画像欠陥が生じてしまう。
【手続補正１１】
【補正対象書類名】明細書
【補正対象項目名】００７２
【補正方法】変更
【補正の内容】
【００７２】
【発明の実施の形態】
本発明のインクジェット画像形成方法、およびそれを実施する画像形成装置について、図面を用いて説明する。
図１の画像形成装置は、処理液および記録液をカートリッジ（２０）に収納し、処理液および記録液がカートリッジから記録ヘッドに供給させる。
ここで、カートリッジ（２０）は処理液用、色毎の記録液用が分離された状態で取り付けられている。
記録ヘッドは、キャリッジ（１８）に搭載され、主走査モータ（２４）で駆動されるタイミングベルト（２３）によってガイドシャフト（２１）、（２２）にガイドされて移動する。一方、被記録材はプラテンによって記録ヘッドと対面する位置に置かれる。
【手続補正１２】
【補正対象書類名】明細書
【補正対象項目名】０１４８
【補正方法】変更
【補正の内容】
【０１４８】
【発明の効果】
以上、詳細且つ具体的な説明より明らかなように、本発明によって処理液の保湿性を高めることで処理液ヘッドの目詰まりを効果的に抑制でき、かつ、反応成分を一定量以上含有することで画像品質を向上できる（フェザリング低減、カラーブリード低減、画像濃度向上、裏抜け濃度低減、擦過性向上、速乾性向上）。また、さらに光沢度を高めることができ、カラー画像の彩度を高めることができる。特定の反応成分を含有させて反応性を高めることで、さらに画像品質を向上できる。また、揮発しにくく、微粒子との相溶性が高い水溶性有機溶剤を用いることで、さらに処理液ヘッドの目詰まりを抑制できる。
２種の水溶性有機溶剤が互いに特性を補い合うことで、低温保存、高温保存時の処理液の保存安定性を向上できる。また、処理液の浸透性を高めて液を瞬時に紙に吸収させることで、フェザリング低減、カラーブリード低減、速乾性向上ができる。
カチオン性界面活性剤が微粒子と反応することで、さらに画像品質を向上できる（フェザリング低減、カラーブリード低減、画像濃度向上、裏抜け濃度低減、擦過性向上、速乾性向上）。また、防腐防黴剤を含有することで、長期保存時の処理液の液物性を安定化できる。
上記処理液と、顔料、染料、あるいはそれら両方を含有する記録液とを併せて用いることで、鮮明な記録物を作製できる。また、記録液の保湿性を高めることで、記録液ヘッドの目詰まりを防止することができる。
記録液の浸透性を高めて液を瞬時に紙に吸収させることで、フェザリング低減、カラーブリード低減、速乾性向上ができる。また、防腐防黴剤を含有することで、長期保存時の記録液の液物性を安定化できる。
また、本発明によって低フェザリング、低カラーブリード、高画像濃度、低裏抜け濃度、高擦過耐久性、速乾を同時に満足する画像を形成することができる。また、低フェザリング、低カラーブリード、高画像濃度、低裏抜け濃度、高擦過耐久性、速乾を同時に満足する記録物を得ることができる。また、記録液、処理液をこぼすことなく画像形成装置に記録液と処理液を装着することができる。
【手続補正１３】
【補正対象書類名】明細書
【補正対象項目名】図４
【補正方法】変更
【補正の内容】
【図４】
本発明における画像形成装置に装填する前のカートリッジの外観斜視図である。